(57)【特許請求の範囲】
【請求項１】
通電状態としてスタンバイ状態とアクティブ状態とを有する複数のハードディスクドライブを備える記録装置であって、
前記アクティブ状態である一のハードディスクドライブをキャッシュ用のハードディスクドライブとして使用し、残りのハードディスクドライブは保存用のハードディスクドライブとして使用するように、前記複数のハードディスクドライブを、それぞれキャッシュ用のハードディスクドライブまたは保存用のハードディスクドライブに設定するドライブ設定部と；
前記ドライブ設定部での設定に従ってそれぞれの前記ハードディスクドライブへの通電を制御する電源制御部と；
前記複数のハードディスクドライブのそれぞれの温度を計測する温度計測部と；
を含み、
前記ドライブ設定部は、前記温度計測部で計測した温度が最も低いハードディスクドライブをキャッシュ用のハードディスクドライブに設定するとともに通電状態を前記アクティブ状態に前記電源制御部に設定させ、他のハードディスクドライブを保存用のハードディスクドライブに設定するとともに通電状態を前記スタンバイ状態に前記電源制御部に設定させることを特徴とする、記録装置。
【請求項２】
前記ドライブ設定部は、保存用のハードディスクドライブへのデータの記録が完了した時点で、前記温度計測部で計測した温度が最も低いハードディスクドライブをキャッシュ用のハードディスクドライブに設定することを特徴とする、請求項１に記載の記録装置。
【請求項３】
通電状態としてスタンバイ状態とアクティブ状態とを有する複数のハードディスクドライブを備える機器のディスク切り替え方法であって、
前記アクティブ状態である一のハードディスクドライブをキャッシュ用のハードディスクドライブとして使用し、残りのハードディスクドライブは保存用のハードディスクドライブとして使用するように、前記複数のハードディスクドライブを、それぞれキャッシュ用のハードディスクドライブまたは保存用のハードディスクドライブに設定するドライブ設定ステップと；
前記ドライブ設定ステップでの設定に従ってそれぞれの前記ハードディスクドライブへの通電を制御する電源制御ステップと；
前記複数のハードディスクドライブのそれぞれの温度を計測する温度計測ステップと；
を含み、
前記ドライブ設定ステップは、前記温度計測ステップで計測した温度が最も低いハードディスクドライブをキャッシュ用のハードディスクドライブに設定するとともに通電状態を前記アクティブ状態に前記電源制御部に設定させ、他のハードディスクドライブを保存用のハードディスクドライブに設定するとともに通電状態を前記スタンバイ状態に前記電源制御部に設定させることを特徴とする、ディスク切替方法。
【請求項４】
前記ドライブ設定ステップは、保存用のハードディスクドライブへのデータの記録が完了した時点で、前記温度計測ステップで計測した温度が最も低いハードディスクドライブをキャッシュ用のハードディスクドライブに設定することを特徴とする、請求項３に記載のディスク切替方法。
【請求項５】
通電状態としてスタンバイ状態とアクティブ状態とを有する複数のハードディスクドライブを備える機器においてディスクを切り替えるコンピュータプログラムであって、コンピュータに、
前記アクティブ状態である一のハードディスクドライブをキャッシュ用のハードディスクドライブとして使用し、残りのハードディスクドライブは保存用のハードディスクドライブとして使用するように、前記複数のハードディスクドライブを、それぞれキャッシュ用のハードディスクドライブまたは保存用のハードディスクドライブに設定するドライブ設定ステップと；
前記ドライブ設定ステップでの設定に従ってそれぞれの前記ハードディスクドライブへの通電を制御する電源制御ステップと；
前記複数のハードディスクドライブのそれぞれの温度を計測する温度計測ステップと；
を含む処理を実行させ、
前記ドライブ設定ステップは、前記温度計測ステップで計測した温度が最も低いハードディスクドライブをキャッシュ用のハードディスクドライブに設定するとともに通電状態を前記アクティブ状態に前記電源制御部に設定させ、他のハードディスクドライブを保存用のハードディスクドライブに設定するとともに通電状態を前記スタンバイ状態に前記電源制御部に設定させることを特徴とする、コンピュータプログラム。
【発明の詳細な説明】
【技術分野】
【０００１】
本発明は、記録装置、ディスク切替方法およびコンピュータプログラムに関し、より詳細には、複数のハードディスクドライブを備える記録装置および、当該記録装置におけるディスク切替方法並びにコンピュータプログラムに関する。
【背景技術】
【０００２】
テレビ番組などを録画するハードディスクレコーダのような記録装置は、今後、テレビ番組のデジタル化が進むに連れて、記録するデータ量が膨大になるものと考えられる。記録するデータ量の増大化に対応するため、記録装置の内部に複数のハードディスクを備えることで大容量化を実現することが考えられる。
【０００３】
また、複数のハードディスクドライブを備えることで、キャッシュ用のハードディスクドライブと保存用のハードディスクドライブとに使い分けることができ、キャッシュ用のハードディスクドライブを常に起動させておくことで、録画を開始するためにリモコンや記録装置本体の録画ボタンを押してから、実際に録画が開始されるまでのタイムラグを短くする効果も期待される。
【０００４】
しかし、複数のハードディスクを備えることで、騒音、消費電力、および温度の上昇といった問題が生じる可能性が考えられる。従って、記録装置に複数のハードディスクを備える場合には、効果的なハードディスクの動作制御が求められる。特許文献１では、複数のハードディスクドライブを備える装置において、ハードディスクドライブの消費電力を削減するとともに騒音を低下させる技術が開示されている。
【０００５】
【特許文献１】特開２００２−２５８９９６号公報
【発明の開示】
【発明が解決しようとする課題】
【０００６】
しかし、特許文献１に記載された技術では、保存用のハードディスクドライブを保存時にのみオンにしているが、キャッシュ用のハードディスクドライブは常に電源がオンになっており、騒音や消費電力の点で改善の余地がある。
【０００７】
そこで、本発明は、上記問題に鑑みてなされたものであり、本発明の目的とするところは、複数のハードディスクを備える記録装置において、保存用のハードディスクドライブとキャッシュ用のハードディスクドライブとを適宜切り替えて使用する、新規かつ改良された記録装置、およびディスク切替方法並びにコンピュータプログラムを提供することにある。
【課題を解決するための手段】
【０００８】
上記課題を解決するために、本発明のある観点によれば、通電状態としてスタンバイ状態とアクティブ状態とを有する複数のハードディスクドライブを備える記録装置であって、アクティブ状態である一のハードディスクドライブをキャッシュ用のハードディスクドライブとして使用し、残りのハードディスクドライブは保存用のハードディスクドライブとして使用するように、複数のハードディスクドライブを、それぞれキャッシュ用のハードディスクドライブまたは保存用のハードディスクドライブに設定するドライブ設定部と、ドライブ設定部での設定に従ってそれぞれのハードディスクドライブへの通電を制御する電源制御部と、を含むことを特徴とする、記録装置が提供される。
【０００９】
かかる構成によれば、ドライブ設定部は、アクティブ状態である一のハードディスクドライブをキャッシュ用のハードディスクドライブとして使用し、残りのハードディスクドライブは保存用のハードディスクドライブとして使用するように、複数のハードディスクドライブを、それぞれキャッシュ用のハードディスクドライブまたは保存用のハードディスクドライブに設定し、電源制御部は、ドライブ設定部での設定に従ってそれぞれのハードディスクドライブへの通電を制御する。その結果、アクティブ状態であるハードディスクドライブは１台のみであるので、消費電力を抑えつつ効果的なハードディスクの動作制御が可能となる。
【００１０】
上記記録装置は、複数のハードディスクドライブのそれぞれの温度を計測する温度計測部を更に備え、ドライブ設定部は、温度計測部で計測した温度が最も低いハードディスクドライブをキャッシュ用のハードディスクドライブとしてもよい。かかる構成によれば、温度計測部は複数のハードディスクドライブのそれぞれの温度を計測し、ドライブ設定部は、温度計測部で計測した温度が最も低いハードディスクドライブをキャッシュ用のハードディスクドライブに設定する。その結果、消費電力だけでなく、内部の温度上昇も抑えることが可能となる。
【００１１】
ドライブ設定部は、保存用のハードディスクドライブへのデータの記録が完了した時点で、温度計測部で計測した温度が最も低いハードディスクドライブをキャッシュ用のハードディスクドライブに設定してもよい。かかる構成によれば、ドライブ設定部は、保存用のハードディスクドライブへのデータの記録が完了した時点で、温度計測部で計測した温度が最も低いハードディスクドライブをキャッシュ用のハードディスクドライブに設定する。その結果、保存用のハードディスクドライブへのデータが完了した段階で温度を測定し、最も温度の低いハードディスクドライブをキャッシュ用のハードディスクドライブとして通電することで、内部の温度上昇も抑えることが可能となる。
【００１２】
上記課題を解決するために、本発明の別の観点によれば、通電状態としてスタンバイ状態とアクティブ状態とを有する複数のハードディスクドライブを備える機器のディスク切り替え方法であって、アクティブ状態である一のハードディスクドライブをキャッシュ用のハードディスクドライブとして使用し、残りのハードディスクドライブは保存用のハードディスクドライブとして使用するように、複数のハードディスクドライブを、それぞれキャッシュ用のハードディスクドライブまたは保存用のハードディスクドライブに設定するドライブ設定ステップと、ドライブ設定ステップでの設定に従ってそれぞれのハードディスクドライブへの通電を制御する電源制御ステップと、を含むことを特徴とする、ディスク切替方法が提供される。
【００１３】
上記ディスク切替方法は、複数のハードディスクドライブのそれぞれの温度を計測する温度計測ステップを更に含み、ドライブ設定ステップは、温度計測ステップで計測した温度が最も低いハードディスクドライブをキャッシュ用のハードディスクドライブに設定してもよい。かかる構成によれば、温度計測ステップは複数のハードディスクドライブのそれぞれの温度を計測し、ドライブ設定ステップは、温度計測ステップで計測した温度が最も低いハードディスクドライブをキャッシュ用のハードディスクドライブに設定する。その結果、消費電力だけでなく、内部の温度上昇も抑えることが可能となる。
【００１４】
ドライブ設定ステップは、保存用のハードディスクドライブへのデータの記録が完了した時点で、温度計測ステップで計測した温度が最も低いハードディスクドライブをキャッシュ用のハードディスクドライブに設定してもよい。かかる構成によれば、ドライブ設定ステップは、保存用のハードディスクドライブへのデータの記録が完了した時点で、温度計測部で計測した温度が最も低いハードディスクドライブをキャッシュ用のハードディスクドライブに設定する。その結果、保存用のハードディスクドライブへのデータが完了した段階で温度を測定し、最も温度の低いハードディスクドライブをキャッシュ用のハードディスクドライブとして通電することで、内部の温度上昇も抑えることが可能となる。
【００１５】
上記課題を解決するために、本発明のさらに別の観点によれば、通電状態としてスタンバイ状態とアクティブ状態とを有する複数のハードディスクドライブを備える機器においてディスクを切り替えるコンピュータプログラムであって、コンピュータに、アクティブ状態である一のハードディスクドライブをキャッシュ用のハードディスクドライブとして使用し、残りのハードディスクドライブは保存用のハードディスクドライブとして使用するように、複数のハードディスクドライブを、それぞれキャッシュ用のハードディスクドライブまたは保存用のハードディスクドライブに設定するドライブ設定ステップと、ドライブ設定ステップでの設定に従ってそれぞれのハードディスクドライブへの通電を制御する電源制御ステップと、を含む処理を実行させることを特徴とする、コンピュータプログラムが提供される。
【発明の効果】
【００１６】
以上説明したように本発明によれば、複数のハードディスクを備える記録装置において、保存用のハードディスクドライブとキャッシュ用のハードディスクドライブとを適宜切り替えて使用する、新規かつ改良された記録装置、およびディスク切替方法並びにコンピュータプログラムを提供することができる。そして、保存用のハードディスクドライブとキャッシュ用のハードディスクドライブとを適宜切り替えることによって、騒音や消費電力、温度の上昇を抑えることが可能となる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、本発明の一実施形態にかかる記録装置について説明する。図１は、本発明の一実施形態にかかる記録装置１０の外観について説明する説明図である。図１に示した、本実施形態にかかる記録装置１０は、内部に複数のハードディスクドライブを備えることで大容量化を実現している。
【００１９】
しかし、上述したように、複数のハードディスクドライブを備えることで、騒音、消費電力、および温度の上昇といった諸問題が生じる。そこで、本実施形態にかかる記録装置１０では、ハードディスクドライブの動作を制御することによって、かかる諸問題を解決することを特徴としている。以下、本発明の一実施形態にかかる記録装置１０について、詳細に説明する。
【００２０】
図２は、本発明の一実施形態にかかる記録装置１０のハードウェア構成について、記録装置１０を上方向から見て説明する説明図であり、図３は図２に示したものを横方向から見た説明図である。以下、図２および図３を用いて本発明の一実施形態にかかる記録装置１０のハードウェア構成について説明する。
【００２１】
図２に示したように、本発明の一実施形態にかかる記録装置１０は、ハードディスクドライブ（ＨＤＤ）１００ａ、１００ｂ、１００ｃ、１００ｄと、温度センサ１０２ａ、１０２ｂ、１０２ｃ、１０２ｄと、ファンモータ１０４ａ、１０４ｂと、マザーボード１０６と、電源部１０８と、チューナ／タイマ部１１０と、ＣＰＵ（Ｃｅｎｔｒａｌ  Ｐｒｏｃｅｓｓｉｎｇ  Ｕｎｉｔ）１１２と、を含んで構成される。
【００２２】
ハードディスクドライブ１００ａ、１００ｂ、１００ｃ、１００ｄは、記録装置１０が受信するアナログまたはデジタル放送を記録するものである。ハードディスクドライブ１００ａ、１００ｂ、１００ｃ、１００ｄのそれぞれの容量は、同一であってもよく、異なっていてもよい。また、本実施形態ではこのようにハードディスクドライブを４つ備える記録装置１０を例に挙げて説明するが、本発明の記録装置においては、ハードディスクドライブの数は２つ以上であればかかる例に限られない。
【００２３】
ハードディスクドライブ１００ａ、１００ｂ、１００ｃ、１００ｄは、それぞれスタンバイ状態とアクティブ状態とを有する。スタンバイ状態とは、ハードディスクドライブが起動していない状態を指し、アクティブ状態とは、ハードディスクドライブが使用可能な状態を指す。ハードディスクドライブ１００ａ、１００ｂ、１００ｃ、１００ｄにデータを記録するには、状態をアクティブ状態にする必要があり、スタンバイ状態からアクティブ状態にするには、およそ数秒〜数十秒の時間を要する。
【００２４】
温度センサ１０２ａは、ハードディスクドライブ１００ａの周辺温度を感知するものである。同様に、温度センサ１０２ｂはハードディスクドライブ１００ｂの、温度センサ１０２ｃはハードディスクドライブ１００ｃの、温度センサ１０２ｄはハードディスクドライブ１００ｄの周辺温度を、それぞれ感知するものである。
【００２５】
ファンモータ１０４ａ、１０４ｂは、それぞれ外気を取り入れることで、記録装置１０の内部を冷却するものである。ファンモータ１０４ａ、１０４ｂは、それぞれ独立して動作し、温度センサ１０２ａ、１０２ｂ、１０２ｃ、１０２ｄで感知した温度に基づいて、モータの回転速度を変化させることで記録装置１０の内部を適切に冷却することができる。複数のセンサで計測した温度に基づいてファンモータの回転速度を切り替える技術は、例えば特開２００５−２２２５８４号公報に掲載されており、本実施形態にかかる記録装置１０も、かかる技術を用いてモータの回転速度を変化させることで、記録装置１０の内部を適切に冷却することができる。
【００２６】
マザーボード１０６は、記録装置１０を動作させるための各種回路を搭載するものである。マザーボード１０６には、温度センサ１０２ａ、１０２ｂ、１０２ｃ、１０２ｄやＣＰＵ１１２が搭載される。
【００２７】
電源部１０８は、記録装置１０の内部に備えられた各部位に対して電源の供給を行うものである。電源部１０８からの電源供給を受けることで記録装置１０の内部に備えられた各部位は機能する。
【００２８】
チューナ／タイマ部１１０は、記録装置１０が受信したアナログ放送またはデジタル放送から映像信号や音声信号を得るものである。チューナ／タイマ部１１０で得た映像信号や音声信号を、各ハードディスクドライブに記録することで、記録装置１０はテレビ番組の録画を行うことができる。
【００２９】
ＣＰＵ１１２は、数値計算や情報処理、機器制御等を行うものである。本実施形態にかかるＣＰＵ１１２は、例えば温度センサ１０２ａ、１０２ｂ、１０２ｃ、１０２ｄで感知したハードディスクドライブ１００ａ、１００ｂ、１００ｃ、１００ｄの温度に基づいて、ファンモータ１０４ａ、１０４ｂの回転速度の制御を行う。
【００３０】
図３は、本実施形態にかかる記録装置１０を、図２のＡの方向から見たものである。図３に示したように、マザーボード１０６の上に温度センサ１０２ｃおよび１０２ｄ、並びにＣＰＵ１１２が搭載されている。
【００３１】
以上、図２および図３を用いて本発明の一実施形態にかかる記録装置１０のハードウェア構成について説明した。次に、本発明の一実施形態にかかる記録装置１０の機能構成について説明する。
【００３２】
図４は、本発明の一実施形態にかかる記録装置１０の機能構成を機能ブロック図で説明する説明図である。以下、図４を用いて本発明の一実施形態にかかる記録装置１０の機能構成について説明する。
【００３３】
図４に示したように、本発明の一実施形態にかかる記録装置１０の機能構成は、図２および図３に示した構成に加え、メモリ１１４、ＡＶ（Ａｕｄｉｏ／Ｖｉｓｕａｌ）入出力部１１６、電源制御部１１８、およびサブマイコン１２０を含んで構成される。以下では、図２および図３に示されていない、メモリ１１４、ＡＶ入出力部１１６、電源制御部１１８、およびサブマイコン１２０について詳細に説明する。
【００３４】
メモリ１１４は、ＣＰＵ１１２が数値計算や情報処理、機器制御等を行う際に使用するプログラムや演算用のパラメータを格納するものである。メモリ１１４としてＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）を用いてもよい。プログラムやパラメータの内、基本的に変更されない固定のデータについてはＲＯＭに、基本的に各種処理の際に適宜変化するデータについてはＲＡＭに、それぞれ格納してもよい。
【００３５】
ＡＶ入出力部１１６は、映像データや音声データの入出力を行うものである。ハードディスクドライブ１００ａ、１００ｂ、１００ｃ、１００ｄに記録された番組はＣＰＵ１１２で読み出されて、ＡＶ入出力部１１６から記録された番組の映像データおよび音声データが出力される。また、ＡＶ入出力部１１６で映像データおよび音声データを入力し、入力した映像データおよび音声データをＣＰＵ１１２で読み出して、ハードディスクドライブ１００ａ、１００ｂ、１００ｃ、１００ｄに記録することもできる。
【００３６】
電源制御部１１８は、ハードディスクドライブ１００ａ、１００ｂ、１００ｃ、１００ｄへの通電の制御を行うものである。電源制御部１１８がハードディスクドライブ１００ａ、１００ｂ、１００ｃ、１００ｄへの通電の制御を行うことで、ハードディスクドライブ１００ａ、１００ｂ、１００ｃ、１００ｄは、それぞれスタンバイ状態とアクティブ状態との間で状態が遷移する。どのようにハードディスクドライブ１００ａ、１００ｂ、１００ｃ、１００ｄへの通電の制御を行うかについては後に詳述する。
【００３７】
サブマイコン１２０は、本発明のドライブ設定部の一例であって、温度センサ１０２ａ、１０２ｂ、１０２ｃ、１０２ｄで感知した各ハードディスクドライブの温度データを受け取り、受け取った温度データを用いて、ファンモータ１０４ａ、１０４ｂの回転速度の制御を行ったり、電源制御部１１８へハードディスクドライブ１００ａ、１００ｂ、１００ｃ、１００ｄへの通電の指示を送出したりするものである。サブマイコン１２０がどのようにファンモータ１０４ａ、１０４ｂの回転速度の制御を行ったり、電源制御部１１８へハードディスクドライブ１００ａ、１００ｂ、１００ｃ、１００ｄへの通電の指示を送出したりするかについては後に詳述する。
【００３８】
以上、図４を用いて本発明の一実施形態にかかる記録装置１０の機能構成について説明した。次に、本発明の一実施形態にかかる記録装置１０の動作について説明する。
【００３９】
まず、本発明の一実施形態にかかる記録装置１０に内蔵されるハードディスクドライブの構成について説明する。図５は、本発明の一実施形態にかかる記録装置１０に内蔵されるハードディスクドライブの構成について説明する説明図である。以下、図５を用いて本発明の一実施形態にかかる記録装置１０に内蔵されるハードディスクドライブの構成について説明する。
【００４０】
図５に示したように、記録装置１０に内蔵されるハードディスクドライブは、いずれも、内部に保存エリアおよびキャッシュエリアを有する。また、記録装置１０に内蔵されるハードディスクドライブは、１台をキャッシュ用のハードディスクドライブとして使用し、残りのハードディスクドライブは保存用のハードディスクドライブとして使用する。
【００４１】
そして、通電させてアクティブ状態とするのは、１台のキャッシュ用のハードディスクドライブまたは１台の保存用のハードディスクドライブのみとする。つまり、通電させてアクティブ状態とするのは、原則として１台のハードディスクドライブのみとする。ハードディスクドライブを複数備えている場合であっても、原則として１台のハードディスクドライブのみをアクティブ状態とすることで、記録装置１０の騒音や消費電力、温度の上昇を抑えることが可能となる。
【００４２】
記録装置１０を使用するユーザが、リモコンや本体を操作して録画するマニュアル録画の際には、録画開始直後はキャッシュ用のハードディスクドライブのキャッシュエリアに番組を録画する。そして、キャッシュエリアに番組を録画している間に、スタンバイ状態にある他のハードディスクドライブの中から１台のハードディスクドライブに通電することでアクティブ状態に遷移させる。
【００４３】
ハードディスクドライブが起動してアクティブ状態となると、キャッシュ用のハードディスクドライブのキャッシュエリアから、起動が完了したハードディスクドライブの保存エリアにデータを転送する（図５（ａ）参照）。そして、転送が完了すると、キャッシュ用のハードディスクドライブに対する通電を止め、キャッシュ用のハードディスクドライブをアクティブ状態からスタンバイ状態へと遷移させる。
【００４４】
一方、指定した時間に録画を開始するタイマ録画の際には、指定された時間に合わせて１台のハードディスクドライブを保存用のハードディスクドライブとして起動して、起動した保存用のハードディスクドライブの保存エリアに番組を記録する（図５（ｂ）参照）。
【００４５】
以上、図５を用いて本発明の一実施形態にかかる記録装置１０に内蔵されるハードディスクドライブの構成について説明した。次に、本発明の一実施形態にかかる記録装置１０に内蔵されるハードディスクドライブの切替方法について、従来技術と対比させて説明する。
【００４６】
まず、図６Ａに従来のハードディスクドライブの切替方法を示す。図６Ａでは、説明の便宜上、４台のハードディスクドライブをそれぞれＡドライブ〜Ｄドライブとして説明する。
【００４７】
従来のハードディスクドライブの切替方法においては、１台のハードディスクドライブ（図６Ａに示した例ではＡドライブ）をキャッシュ用のハードディスクドライブとして固定して使用し、残りのＢドライブ〜Ｄドライブを、適宜保存用のハードディスクドライブとすることで、マニュアル録画を開始する際のタイムラグを最小限に抑えている。そのため、Ａドライブは常にアクティブ状態とする必要がある。
【００４８】
マニュアル録画を開始する前は、Ａドライブのみがアクティブ状態であり、残りのＢドライブ、Ｃドライブ、およびＤドライブがスタンバイ状態である（図６Ａ（ａ）参照）。ユーザがマニュアル録画を開始すると、アクティブ状態にあるＡドライブに仮録画を行い。スタンバイ状態にあるハードディスクドライブの内、Ｂドライブを起動してアクティブ状態とする（図６Ａ（ｂ）参照）。
【００４９】
Ｂドライブの起動が完了すると、Ａドライブに仮録画したデータをＢドライブに転送する（図６Ａ（ｃ）参照）。転送が完了すると、Ａドライブに仮録画したデータは消去あるいは無効とし、Ｂドライブに録画を行う（図６Ａ（ｄ）、（ｅ）参照）。
【００５０】
このように、従来のハードディスクドライブの切替方法においては、複数台のハードディスクドライブがアクティブ状態となるので、騒音や消費電力、温度の上昇といった諸問題が生じてしまう。そこで、本実施形態にかかる記録装置１０を用いるハードディスクドライブの切替方法では、原則として１台のハードディスクドライブのみをアクティブ状態とすることで、記録装置１０の騒音や消費電力、温度の上昇を抑えることが可能となる。
【００５１】
図６Ｂは、本発明の一実施形態にかかる記録装置１０を用いたハードディスクドライブの切替方法の概要を示す説明図である。図６Ｂでは、説明の便宜上、４台のハードディスクドライブをそれぞれＡドライブ〜Ｄドライブとして説明する。
【００５２】
マニュアル録画を開始する前は、Ａドライブのみがアクティブ状態であり、残りのＢドライブ、Ｃドライブ、およびＤドライブがスタンバイ状態である（図６Ｂ（ａ）参照）。ユーザがマニュアル録画を開始すると、アクティブ状態にあるＡドライブに仮録画を行い。スタンバイ状態にあるハードディスクドライブの内、Ｂドライブを起動してアクティブ状態とする（図６Ｂ（ｂ）参照）。
【００５３】
Ｂドライブの起動が完了すると、Ａドライブに仮録画したデータをＢドライブに転送する（図６Ｂ（ｃ）参照）。転送が完了すると、Ａドライブに仮録画したデータは消去あるいは無効とし、Ｂドライブに録画を行う（図６Ｂ（ｄ）参照）。
【００５４】
ここまでは図６Ａに示した、従来のハードディスクドライブの切替方法と変わりは無いが、次に、キャッシュ用のハードディスクドライブであったＡドライブの通電を切り、アクティブ状態からスタンバイ状態へと遷移させる。そして、録画を行っているＢドライブを、保存用兼キャッシュ用のハードディスクドライブとする（図６Ｂ（ｅ）参照）。
【００５５】
このように、原則として１台のハードディスクドライブのみをアクティブ状態とすることで、記録装置１０の騒音や消費電力、温度の上昇を抑えることができる。
【００５６】
以上、図６Ｂを用いて、本発明の一実施形態にかかる記録装置１０を用いたハードディスクドライブの切替方法の概要について説明した。次に、本発明の一実施形態にかかる記録装置１０を用いたハードディスクドライブの切替方法について詳細に説明する。
【００５７】
図７は、本発明の一実施形態にかかる記録装置１０を用いたハードディスクドライブの切替方法について説明する流れ図である。以下、図７を用いて本発明の一実施形態にかかる記録装置１０を用いたハードディスクドライブの切替方法について詳細に説明する。
【００５８】
記録装置１０の主電源が投入されると、温度センサ１０２ａ、１０２ｂ、１０２ｃ、１０２ｄで、ハードディスクドライブ１００ａ、１００ｂ、１００ｃ、１００ｄのそれぞれの温度データをサブマイコン１２０で取得する（ステップＳ１０２）。サブマイコン１２０が温度データを取得すると、サブマイコン１２０は最も低い温度に対応したハードディスクドライブを、キャッシュ用のハードディスクドライブとして選択する（ステップＳ１０４）。サブマイコン１２０がキャッシュ用のハードディスクドライブを選択すると、選択したハードディスクドライブに対して通電するように、サブマイコン１２０から電源制御部１１８に指示する。そして、サブマイコン１２０からの指示を受けた電源制御部１１８は、サブマイコン１２０が選択したハードディスクドライブに対して通電して起動させ、当該ハードディスクドライブの状態をスタンバイ状態からアクティブ状態にさせる（ステップＳ１０６）。
【００５９】
その後、記録装置１０はユーザからのマニュアル録画の要求があるまで待機する（ステップＳ１０８）。記録装置１０は、マニュアル録画の要求が無ければステップＳ１０８を繰り返し、マニュアル録画の要求があれば、キャッシュ用のハードディスクドライブのキャッシュエリアへの録画を行う（ステップＳ１１０）。
【００６０】
次に温度センサ１０２ａ、１０２ｂ、１０２ｃ、１０２ｄで、ハードディスクドライブ１００ａ、１００ｂ、１００ｃ、１００ｄのそれぞれの温度データをサブマイコン１２０で取得する（ステップＳ１１２）。そして、サブマイコン１２０が温度データを取得すると、取得した時点での最低温度に対応したハードディスクを、保存用のハードディスクドライブとして選択する（ステップＳ１１４）。なお、このときキャッシュ用のハードディスクと保存用のハードディスクとは、同一のハードディスクである場合もある。サブマイコン１２０が保存用のハードディスクドライブを選択すると、選択したハードディスクドライブに対して通電するように、サブマイコン１２０から電源制御部１１８に指示する。そして、サブマイコン１２０からの指示を受けた電源制御部１１８は、サブマイコン１２０が選択したハードディスクドライブに対して通電して起動させ、当該ハードディスクドライブの状態をスタンバイ状態からアクティブ状態にさせる（ステップＳ１１６）。
【００６１】
上記ステップＳ１１６において、保存用のハードディスクドライブの起動が完了すると、ＣＰＵ１１２によって、キャッシュ用のハードディスクドライブのキャッシュエリアに録画したデータを、保存用のハードディスクドライブの保存エリアに転送する。そして、キャッシュ用のハードディスクドライブに録画したデータの続きを保存用のハードディスクドライブの保存エリアへ録画する（ステップＳ１１８）。
【００６２】
キャッシュ用のハードディスクドライブから保存用のハードディスクドライブへのデータの転送が完了すると、ＣＰＵ１１２によって、キャッシュ用のハードディスクドライブのキャッシュエリアに記録したデータを消去あるいは無効とする。そして、電源制御部１１８はキャッシュ用のハードディスクドライブへの通電を止めることで、キャッシュ用のハードディスクドライブをスタンバイ状態にさせる（ステップＳ１２０）。
【００６３】
電源制御部１１８がキャッシュ用のハードディスクドライブをスタンバイ状態にさせると、次に、上記ステップＳ１１４で保存用のハードディスクドライブとして選択したハードディスクドライブを、キャッシュ用兼保存用のハードディスクドライブとする（ステップＳ１２２）。そして、キャッシュ用兼保存用のハードディスクドライブに対して録画を行う（ステップＳ１２４）。
【００６４】
キャッシュ用兼保存用のハードディスクドライブに対する録画が完了すると（ステップＳ１２５）、当該ハードディスクドライブに対する録画が完了した時点で、温度センサ１０２ａ、１０２ｂ、１０２ｃ、１０２ｄで、ハードディスクドライブ１００ａ、１００ｂ、１００ｃ、１００ｄのそれぞれの温度データをサブマイコン１２０で取得する（ステップＳ１２６）。サブマイコン１２０が温度データを取得すると、その中で最も低い温度に対応したハードディスクドライブを。キャッシュ用のハードディスクドライブとして選択する（ステップＳ１２８）。このとき、番組を保存していたハードディスクドライブと、キャッシュ用のハードディスクドライブとは、同一の場合もある。
【００６５】
キャッシュ用のハードディスクドライブを選択すると、選択したハードディスクドライブに対して通電するように、サブマイコン１２０から電源制御部１１８に指示し、指示を受けた電源制御部１１８は、サブマイコン１２０が選択したハードディスクドライブに対して通電して起動させ、当該ハードディスクドライブの状態をスタンバイ状態からアクティブ状態にさせる（ステップＳ１３０）。当該ハードディスクドライブの状態がアクティブ状態となると、電源制御部１１８は、それまで保存用のハードディスクドライブとしていたハードディスクドライブへの通電を止め、保存用のハードディスクドライブとしていたハードディスクドライブをアクティブ状態からスタンバイ状態へと遷移させる（ステップＳ１３２）。
【００６６】
保存用のハードディスクドライブだったハードディスクドライブをアクティブ状態からスタンバイ状態に遷移させると、上記ステップＳ１２８で選択したキャッシュ用のハードディスクドライブを、キャッシュ用兼保存用のハードディスクドライブとする（ステップＳ１３４）。
【００６７】
そして、ユーザがリモコンまたは記録装置１０本体を操作して電源をオフにしたかどうかを判断し（ステップＳ１３６）、電源をオフしたならば処理を終了し、オフにしていなければ、上記ステップＳ１０８に戻り、ユーザからの録画要求が行われるまで待機する。
【００６８】
このように、キャッシュ用のハードディスクドライブと保存用のハードディスクドライブとを適宜切り替えて、温度の低いハードディスクドライブ１台のみをアクティブ状態とするように通電を制御することにより、記録装置１０の温度上昇を抑えることができる。
【００６９】
以上、図７を用いて本発明の一実施形態にかかる記録装置１０を用いたハードディスクドライブの切替方法について詳細に説明した。
【００７０】
なお、上述した本発明の一実施形態にかかる記録装置１０を用いたハードディスクドライブの切替方法は、上述した一連の処理を実行するようにプログラムされたコンピュータプログラムを、記録装置１０の内部、例えばサブマイコン１２０やメモリ１１４の内部に格納し、当該コンピュータプログラムをＣＰＵ１１２が順次読み出すことで実行するようにしてもよい。
【００７１】
以上説明したように、本発明の一実施形態にかかる記録装置１０によれば、複数のハードディスクドライブのそれぞれに対して、キャッシュエリアと保存エリアとを設け、原則として１台のハードディスクドライブのみをアクティブ状態とすることで、記録装置１０の騒音や消費電力、温度の上昇を抑えることが可能となる。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７３】
例えば、上記実施形態では、図７のステップＳ１１４において、２番目に低い温度に対応したハードディスクを、保存用のハードディスクドライブとして選択したが、本発明はかかる例に限定されない。例えば、図７のステップＳ１１４において、キャッシュ用のハードディスクドライブより低い温度を示すハードディスクドライブが存在すれば、そのハードディスクドライブを保存用のハードディスクドライブとしてしてもよい。
【産業上の利用可能性】
【００７４】
本発明は、記録装置、ディスク切替方法およびコンピュータプログラムに適用可能であり、特に複数のハードディスクドライブを備える記録装置、当該記録装置におけるディスク切替方法およびコンピュータプログラムに適用可能である。
【図面の簡単な説明】
【００７５】
【図１】本発明の一実施形態にかかる記録装置１０の外観について説明する説明図である。
【図２】本発明の一実施形態にかかる記録装置１０のハードウェア構成について説明する説明図。
【図３】図２を横方向から見た説明図である。
【図４】本発明の一実施形態にかかる記録装置１０の機能構成を説明する説明図である。
【図５】本発明の一実施形態にかかる記録装置１０に内蔵されるハードディスクドライブの構成について説明する説明図である。
【図６Ａ】従来のハードディスクドライブの切替方法を示す説明図である。
【図６Ｂ】本発明の一実施形態にかかる記録装置１０を用いたハードディスクドライブの切替方法の概要を示す説明図である。
【図７】本発明の一実施形態にかかる記録装置１０を用いたハードディスクドライブの切替方法について説明する流れ図である。
【符号の説明】
【００７６】
１０    記録装置
１００ａ、１００ｂ、１００ｃ、１００ｄ    ハードディスクドライブ
１０２ａ、１０２ｂ、１０２ｃ、１０２ｄ    温度センサ
１０４ａ、１０４ｂ    ファンモータ
１０６    マザーボード
１０８    電源部
１１０    チューナ／タイマ部
１１２    ＣＰＵ
１１４    メモリ
１１６    ＡＶ入出力部
１１８    電源制御部
１２０    サブマイコン
【図１】
0005181620.tif 000002
【図２】
0005181620.tif 000003
【図３】
0005181620.tif 000004
【図４】
0005181620.tif 000005
【図５】
0005181620.tif 000006
【図６Ａ】
0005181620.tif 000007
【図６Ｂ】
0005181620.tif 000008
【図７】
0005181620.tif 000009